(57)【特許請求の範囲】
【請求項１】
正面視で、固定台及び上方に開口したプールを含み、前記プールの下端壁には外部空間に連通した水排出パイプが設置され、前記水排出パイプの中にはフィルターが固定され、前記水排出パイプの右側には前記フィルターの周りに落ちた物を収集する収集機構及び落ちた物を収納して押し動かせる押し動かし機構が設置され、前記押し動かし機構は上方に開口した収納チャンバを含み、前記収納チャンバの左端壁には右方に開口したバネチャンバが設置され、前記収納チャンバの右端壁の中には移動チャンバが設置され、前記移動チャンバの中には移動板及び前記移動板を復帰させることができる移動バネが設置され、前記移動板の左端には左端が前記バネチャンバの中に位置しており、且つ前記バネチャンバと前記収納チャンバとを閉鎖する閉鎖板が固定され、前記閉鎖板の中には下方に開口しており、且つ左端壁が前記バネチャンバに連通したスライドチャンバが設置され、前記スライドチャンバの中にはスライドブロック及び前記スライドブロックに固定的に連結されたロープが設置され、前記バネチャンバの中には上端が前記スライドブロックと連結されたスライド板及び前記スライド板を復帰させることができるスライドバネが設置され、前記移動チャンバの中にはまた従動板が設置され、前記ロープの右端が前記閉鎖板と前記移動板とを貫通しており、前記移動板の右端には右端が前記従動板を貫通したチェーンが固定され、前記収納チャンバの下端壁の中には落ちた物を水から分離させる分離機構が設置され、前記移動チャンバの右端壁の中には装置の作動に動力を提供する駆動機構が設置され、前記収集機構は落ちた物を収集する時に、前記駆動機構は前記押し動かし機構に落ちた物を収納させ、その後、再び前記押し動かし機構に落ちた物を前記分離機構の中に押し動かさせ、落ちた物を水から分離することを完成し、前記駆動機構の右側には落ちた物を展示区域に送れる昇降機構が設置され、それによって前記プールの中に落ちた物を自動的に取り出すことを実現し、人が落とし物を見つけることに便利であることを特徴とするプールの送水管の塞ぎ物を水から分離して貯蔵する制御設備。
【請求項２】
前記収集機構は前記収納チャンバの前後端壁を貫通しており、且つ前記プールに連通した支持チャンバを含み、前記収納チャンバの前後端壁の中にはいずれも上方に開口した持ち上げチャンバが設置され、前記持ち上げチャンバの中には持ち上げ板及び前記持ち上げ板を支持する二つの持ち上げバネが設置され、前記持ち上げ板の中には上方に開口したスライド溝が形成されており、前記スライド溝の中には移動ブロックが設置され、前記移動ブロックの上端面には上端が前記支持チャンバの中に位置している支持ロッドが固定され、前記支持ロッドの上端には連結ロッドが固定され、二本の前記連結ロッドの左端の間が連結ブロックによって連結され、前記移動ブロックの上端面にはまた二つの上端が前記スライド溝の上端面と接触している伸縮バネが固定され、前記持ち上げチャンバの右端壁には左方に開口した電磁チャンバが固定され、前記電磁チャンバの上端壁には第一電磁石が固定され、前記電磁チャンバの下側には左端が前記持ち上げチャンバの中に位置しており、且つ前記持ち上げ板が上方へ運動するのを制御する第二電磁石が設置され、前記支持ロッドの右端面にはまた細引が固定されていることを特徴とする請求項１に記載のプールの送水管の塞ぎ物を水から分離して貯蔵する制御設備。
【請求項３】
前記押し動かし機構はまた前記収納チャンバと前記水排出パイプとを連通する連通パイプを含み、前記連通パイプの中には電磁スイッチ及びろ過板が設置されていることを特徴とする請求項２に記載のプールの送水管の塞ぎ物を水から分離して貯蔵する制御設備。
【請求項４】
前記分離機構は前記連通パイプを貫通した平行移動チャンバを含み、前記平行移動チャンバの中には回字型ブロックが設置され、前記回字型ブロックの中心の空間は前記連通パイプの直径より少し大きく、前記従動板の下端が前記移動チャンバの下端壁を貫通しており、且つ前記平行移動チャンバの中に位置しており、前記従動板の下端と前記回字型ブロックとの間が従動バネによって連結され、前記回字型ブロックの中には上方に開口した位置制限溝が形成されており、前記平行移動チャンバの上端壁の中には従動チャンバが設置され、前記従動チャンバの前後端壁の間には従動軸が回転できるように連結され、前記従動軸と前記従動チャンバの端壁との間が第一トーションバネによって連結され、前記従動軸には従動ギヤが固定され、前記従動ギヤの左右両端には台形ブロックが噛み合うように連結され、右側の前記台形ブロックの上端が前記収納チャンバの中に位置しており、また左側の前記台形ブロックの下端が前記位置制限溝の中に位置していることを特徴とする請求項３に記載のプールの送水管の塞ぎ物を水から分離して貯蔵する制御設備。
【請求項５】
前記駆動機構は駆動チャンバを含み、前記駆動チャンバの上端壁にはモーターが固定され、前記モーターの下端には下端が前記駆動チャンバの下端壁と回転できるように連結された駆動軸が動力が伝達できるように連結され、前記駆動軸の上端には糸巻き輪が固定され、前記駆動軸の下端には三つのリールがスライドできるように連結され、前記駆動チャンバの右端壁には三つの前記リールを支える三つの固定板が固定され、前記ロープの右端が上側の前記リールに固定され、前記チェーンの右端が中間の前記リールに固定され、前記細引の右端が下側の前記リールに固定され、上側の二つの前記リールの間には前記駆動軸と固定的に連結された駆動ギヤが設置され、前記駆動ギヤの左端には前記駆動ギヤを貫通した貫通孔が設置され、前記貫通孔の左端壁の中には右方に開口した電磁溝が形成されており、前記貫通孔の中にはまた上下両端が前記駆動チャンバの中に位置している第一伝動ロッドが設置され、前記電磁溝の上端壁には第三電磁石が固定され、前記電磁溝の中にはまた右端が前記第一伝動ロッドと固定的に連結された第四電磁石及び前記第四電磁石を支える電磁バネが設置され、上側の前記リールの中には下方に開口した第一伝動孔が設置され、中間の前記リールの中には上方に開口した第二伝動孔が設置され、下側の前記リールの中には上方に開口した第三伝動孔が設置され、中間の前記リールの下端面には下端が前記第三伝動孔の中に位置している第二伝動ロッドが固定され、前記糸巻き輪には麻縄が巻き付いていることを特徴とする請求項４に記載のプールの送水管の塞ぎ物を水から分離して貯蔵する制御設備。
【請求項６】
前記昇降機構は上方に開口した昇降チャンバを含み、前記昇降チャンバと前記平行移動チャンバとの間が下方に傾斜している輸送パイプによって連結され、前記昇降チャンバの下端壁には昇降ロッドが固定され、前記昇降チャンバの右端壁の中には上方に開口しており、且つ前記昇降チャンバに連通している展示チャンバが設置され、前記昇降チャンバの左端壁には位置制限ブロックが固定され、前記昇降チャンバの中には前記昇降ロッドに貫通された昇降板が設置され、前記昇降板の下端面と前記昇降チャンバの下端壁との間には二つの昇降バネによって連結され、前記昇降板の中には上方に開口した回転溝が形成されており、前記回転溝の前後端壁の間には回転軸が回転できるように連結され、前記回転軸と前記回転溝の端壁との間が第二トーションバネによって連結され、前記回転軸にはまた回転板が固定的に連結され、前記回転板の中には前記回転板を貫通している円形チャンバが設置され、前記昇降ロッドが前記円形チャンバを貫通しており、また前記円形チャンバの端壁には環状密封リングが固定され、前記麻縄の右端が前記昇降チャンバの左端壁を貫通しており、且つ前記回転板の左端と連結されていることを特徴とする請求項５に記載のプールの送水管の塞ぎ物を水から分離して貯蔵する制御設備。
【請求項７】
前記回転板と前記回転溝との間の摩擦力は前記麻縄が前記回転板を引っ張る時の引張力を大きく、前記第二トーションバネの弾力は前記回転板と前記回転溝との間の摩擦力より大きいことを特徴とする請求項６に記載のプールの送水管の塞ぎ物を水から分離して貯蔵する制御設備。
【請求項８】
前記スライドバネの弾力は前記チェーンと前記従動板との間の摩擦力より大きく、初期状態に、前記細引は緩んだ状態にあり、前記リールと前記駆動軸との間の摩擦力は前記リールと前記固定板との間の摩擦力より小さいことを特徴とする請求項５に記載のプールの送水管の塞ぎ物を水から分離して貯蔵する制御設備。
【発明の詳細な説明】
【技術分野】
【０００１】
本発明はプール清掃分野に関わり、具体的にはプールの送水管の塞ぎ物を水から分離して貯蔵する制御設備である。
【背景技術】
【０００２】
夏に、プールは人が涼んで暑さよけのいいところであり、従って普通にはプールで泳ぐ人は非常に多く、人のネックレスや指輪などの個人物はプールの中に落ちる状況が発生し、この状況ではプールの中に落ちた物は専門の人によって水中に入って拾うのであり、こうして従業員の仕事量が増える。今、水を節約するため、プールでは水をリサイクル使用する方法を利用し、それでプールの中の水はいつも循環状態にあり、排水口に水が流れており、プールの中に落ちた物は一般的に排水口の周りに流れ、拾う人は落ちものを拾う時に、水底の排水口が水を排出することによって生み出された渦巻きで、危険に遭う可能性がある。
【先行技術文献】
【特許文献】
【０００３】
【特許文献１】中国特許出願公開第１０９１３８０８３号明細書
【発明の概要】
【発明が解決しようとする課題】
【０００４】
本発明は解決しようとする技術問題はプールの送水管の塞ぎ物を水から分離して貯蔵する制御設備を提供し、従業員は水の中に入ってものを拾うことによって仕事量が増えることや危険に遭うリスクが増えることなどの問題を解消し、従業員の仕事量と仕事の危うさを減らす。
【課題を解決するための手段】
【０００５】
本発明は以下の技術プランによって実現される。
【０００６】
本発明のプールの送水管の塞ぎ物を水から分離して貯蔵する制御設備は主に固定台及び上方に開口したプールを含み、前記プールの下端壁には外部空間に連通した水排出パイプが設置され、前記水排出パイプの中にはフィルターが固定される。
【０００７】
前記水排出パイプの右側には前記フィルターの周りに落ちた物を収集する収集機構及び落ちた物を収納して押し動かせる押し動かし機構が設置され、前記押し動かし機構は上方に開口した収納チャンバを含み、前記収納チャンバの左端壁には右方に開口したバネチャンバが設置され、前記収納チャンバの右端壁の中には移動チャンバが設置され、前記移動チャンバの中には移動板及び前記移動板を復帰させることができる移動バネが設置され、前記移動板の左端には左端が前記バネチャンバの中に位置しており、且つ前記バネチャンバと前記収納チャンバとを閉鎖する閉鎖板が固定され、前記閉鎖板の中には下方に開口しており、且つ左端壁が前記バネチャンバに連通したスライドチャンバが設置され、前記スライドチャンバの中にはスライドブロック及び前記スライドブロックに固定的に連結されたロープが設置され、前記バネチャンバの中には上端が前記スライドブロックと連結されたスライド板及び前記スライド板を復帰させることができるスライドバネが設置され、前記移動チャンバの中にはまた従動板が設置され、前記ロープの右端が前記閉鎖板と前記移動板とを貫通しており、前記移動板の右端には右端が前記従動板を貫通したチェーンが固定され、前記収納チャンバの下端壁の中には落ちた物を水から分離させる分離機構が設置され、前記移動チャンバの右端壁の中には装置の作動に動力を提供する駆動機構が設置され、前記収集機構は落ちた物を収集する時に、前記駆動機構は前記押し動かし機構に落ちた物を収納させ、その後、再び前記押し動かし機構に落ちた物を前記分離機構の中に押し動かさせ、落ちた物を水から分離することを完成する。
【０００８】
前記駆動機構の右側には落ちた物を展示区域に送れる昇降機構が設置され、それによって前記プールの中に落ちた物を自動的に取り出すことを実現し、人が落とし物を見つけることに便利である。
【０００９】
さらに、前記収集機構は前記収納チャンバの前後端壁を貫通しており、且つ前記プールに連通した支持チャンバを含み、前記収納チャンバの前後端壁の中にはいずれも上方に開口した持ち上げチャンバが設置され、前記持ち上げチャンバの中には持ち上げ板及び前記持ち上げ板を支持する二つの持ち上げバネが設置され、前記持ち上げ板の中には上方に開口したスライド溝が形成されており、前記スライド溝の中には移動ブロックが設置され、前記移動ブロックの上端面には上端が前記支持チャンバの中に位置している支持ロッドが固定され、前記支持ロッドの上端には連結ロッドが固定され、二本の前記連結ロッドの左端の間が連結ブロックによって連結され、前記移動ブロックの上端面にはまた二つの上端が前記スライド溝の上端面と接触している伸縮バネが固定され、前記持ち上げチャンバの右端壁には左方に開口した電磁チャンバが固定され、前記電磁チャンバの上端壁には第一電磁石が固定され、前記電磁チャンバの下側には左端が前記持ち上げチャンバの中に位置しており、且つ前記持ち上げ板が上方へ運動するのを制御する第二電磁石が設置され、前記支持ロッドの右端面にはまた細引が固定されている。
【００１０】
さらに、前記押し動かし機構はまた前記収納チャンバと前記水排出パイプとを連通する連通パイプを含み、前記連通パイプの中には電磁スイッチ及びろ過板が設置されている。
【００１１】
さらに、前記分離機構は前記連通パイプを貫通した平行移動チャンバを含み、前記平行移動チャンバの中には回字型ブロックが設置され、前記回字型ブロックの中心の空間は前記連通パイプの直径より少し大きく、前記従動板の下端が前記移動チャンバの下端壁を貫通しており、且つ前記平行移動チャンバの中に位置しており、前記従動板の下端と前記回字型ブロックとの間が従動バネによって連結され、前記回字型ブロックの中には上方に開口した位置制限溝が形成されており、前記平行移動チャンバの上端壁の中には従動チャンバが設置され、前記従動チャンバの前後端壁の間には従動軸が回転できるように連結され、前記従動軸と前記従動チャンバの端壁との間が第一トーションバネによって連結され、前記従動軸には従動ギヤが固定され、前記従動ギヤの左右両端には台形ブロックが噛み合うように連結され、右側の前記台形ブロックの上端が前記収納チャンバの中に位置しており、また左側の前記台形ブロックの下端が前記位置制限溝の中に位置している。
【００１２】
さらに、前記駆動機構は駆動チャンバを含み、前記駆動チャンバの上端壁にはモーターが固定され、前記モーターの下端には下端が前記駆動チャンバの下端壁と回転できるように連結された駆動軸が動力が伝達できるように連結され、前記駆動軸の上端には糸巻き輪が固定され、前記駆動軸の下端には三つのリールがスライドできるように連結され、前記駆動チャンバの右端壁には三つの前記リールを支える三つの固定板が固定され、前記ロープの右端が上側の前記リールに固定され、前記チェーンの右端が中間の前記リールに固定され、前記細引の右端が下側の前記リールに固定され、上側の二つの前記リールの間には前記駆動軸と固定的に連結された駆動ギヤが設置され、前記駆動ギヤの左端には前記駆動ギヤを貫通した貫通孔が設置され、前記貫通孔の左端壁の中には右方に開口した電磁溝が形成されており、前記貫通孔の中にはまた上下両端が前記駆動チャンバの中に位置している第一伝動ロッドが設置され、前記電磁溝の上端壁には第三電磁石が固定され、前記電磁溝の中にはまた右端が前記第一伝動ロッドと固定的に連結された第四電磁石及び前記第四電磁石を支える電磁バネが設置され、上側の前記リールの中には下方に開口した第一伝動孔が設置され、中間の前記リールの中には上方に開口した第二伝動孔が設置され、下側の前記リールの中には上方に開口した第三伝動孔が設置され、中間の前記リールの下端面には下端が前記第三伝動孔の中に位置している第二伝動ロッドが固定され、前記糸巻き輪には麻縄が巻き付いている。
【００１３】
さらに、前記昇降機構は上方に開口した昇降チャンバを含み、前記昇降チャンバと前記平行移動チャンバとの間が下方に傾斜している輸送パイプによって連結され、前記昇降チャンバの下端壁には昇降ロッドが固定され、前記昇降チャンバの右端壁の中には上方に開口しており、且つ前記昇降チャンバに連通している展示チャンバが設置され、前記昇降チャンバの左端壁には位置制限ブロックが固定され、前記昇降チャンバの中には前記昇降ロッドに貫通された昇降板が設置され、前記昇降板の下端面と前記昇降チャンバの下端壁との間には二つの昇降バネによって連結され、前記昇降板の中には上方に開口した回転溝が形成されており、前記回転溝の前後端壁の間には回転軸が回転できるように連結され、前記回転軸と前記回転溝の端壁との間が第二トーションバネによって連結され、前記回転軸にはまた回転板が固定的に連結され、前記回転板の中には前記回転板を貫通している円形チャンバが設置され、前記昇降ロッドが前記円形チャンバを貫通しており、また前記円形チャンバの端壁には環状密封リングが固定され、前記麻縄の右端が前記昇降チャンバの左端壁を貫通しており、且つ前記回転板の左端と連結されている。
【００１４】
さらに、前記回転板と前記回転溝との間の摩擦力は前記麻縄が前記回転板を引っ張る時の引張力を大きく、前記第二トーションバネの弾力は前記回転板と前記回転溝との間の摩擦力より大きい。
【００１５】
さらに、前記スライドバネの弾力は前記チェーンと前記従動板との間の摩擦力より大きく、初期状態に、前記細引は緩んだ状態にあり、前記リールと前記駆動軸との間の摩擦力は前記リールと前記固定板との間の摩擦力より小さい。
【発明の効果】
【００１６】
本発明の有益な効果は：本装置は構成が簡単で、操作が便利であり、本装置は作動してプールの底に沈んだ泳ぐ人の落とし物を自動的に収集でき、また落とし物を自動的に地面に送れ、落とし主が拾うことに便利であり、人がプールの底に行って拾う必要はなく、従業員の仕事量を下げ、また一般的に落とし物はプールの排水口の周りに集中し、プールの排水口の周りの吸引力が大きく、渦巻きが出やすく、本装置の自動的に落とし物を拾える機能は拾う人自身が落とし物を拾う時に危険に遭うリスクを避ける。
【図面の簡単な説明】
【００１７】
発明の実施例または既存の技術の中の技術方案をより詳しく説明できるため、以下は実施例または既存の技術を説明することに必要な付図に対して簡単な紹介を行い、明らかなように、以下の付図はただ発明の一部の実施例であり、当業者にとって、創造的な労働を払わなくても、これらの付図に基づいて他の付図を獲得することができる。下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の実施例の構成概略図
【図２】図２は本発明の実施例の持ち上げチャンバの全断面の正面拡大構成概略図
【図３】図３は本発明の実施例の駆動機構の部分断面の正面拡大構成概略図
【図４】図４は本発明の実施例の分離機構の部分断面の正面拡大構成概略図
【図５】図５は本発明の実施例の昇降機構の部分断面の正面拡大概略図
【図６】図６は本発明の実施例の押し動かし機構の部分断面の正面拡大概略図
【図７】図７は本発明の実施例のスライド板の全断面の左側面拡大概略図
【発明を実施するための形態】
【００１９】
図１〜７に紹介したプールの送水管の塞ぎ物を水から分離して貯蔵する制御設備の機械構成図をを合わせ、本発明のプールの送水管の塞ぎ物を水から分離して貯蔵する制御設備は主に固定台１及び上方に開口したプール２を含み、前記プール２の下端壁には外部空間に連通した水排出パイプ６が設置され、前記水排出パイプ６の中にはフィルター３が固定され、前記水排出パイプ６の右側には前記フィルター３の周りに落ちた物を収集する収集機構８０及び落ちた物を収納して押し動かせる押し動かし機構８１が設置され、前記押し動かし機構８１は上方に開口した収納チャンバ７を含み、前記収納チャンバ７の左端壁には右方に開口したバネチャンバ７４が設置され、前記収納チャンバ７の右端壁の中には移動チャンバ１０が設置され、前記移動チャンバ１０の中には移動板８及び前記移動板８を復帰させることができる移動バネ１２が設置され、前記移動板８の左端には左端が前記バネチャンバ７４の中に位置しており、且つ前記バネチャンバ７４と前記収納チャンバ７とを閉鎖する閉鎖板７６が固定され、前記閉鎖板７６の中には下方に開口しており、且つ左端壁が前記バネチャンバ７４に連通したスライドチャンバ７５が設置され、前記スライドチャンバ７５の中にはスライドブロック７１及び前記スライドブロック７１に固定的に連結されたロープ１１が設置され、前記バネチャンバ７４の中には上端が前記スライドブロック７１と連結されたスライド板７２及び前記スライド板７２を復帰させることができるスライドバネ７３が設置され、前記移動チャンバ１０の中にはまた従動板９が設置され、前記ロープ１１の右端が前記閉鎖板７６と前記移動板８とを貫通しており、前記移動板８の右端には右端が前記従動板９を貫通したチェーン１３が固定され、前記収納チャンバ７の下端壁の中には落ちた物を水から分離させる分離機構８２が設置され、前記移動チャンバ１０の右端壁の中には装置の作動に動力を提供する駆動機構８３が設置され、前記収集機構８０は落ちた物を収集する時に、前記駆動機構８３は前記押し動かし機構８１に落ちた物を収納させ、その後、再び前記押し動かし機構８１に落ちた物を前記分離機構８２の中に押し動かさせ、落ちた物を水から分離することを完成し、前記駆動機構８３の右側には落ちた物を展示区域に送れる昇降機構８４が設置され、それによって前記プール２の中に落ちた物を自動的に取り出すことを実現し、人が落とし物を見つけることに便利である。
【００２０】
有益なように、前記収集機構８０は前記収納チャンバ７の前後端壁を貫通しており、且つ前記プール２に連通した支持チャンバ６９を含み、前記収納チャンバ７の前後端壁の中にはいずれも上方に開口した持ち上げチャンバ３０が設置され、前記持ち上げチャンバ３０の中には持ち上げ板３３及び前記持ち上げ板３３を支持する二つの持ち上げバネ３４が設置され、前記持ち上げ板３３の中には上方に開口したスライド溝３２が形成されており、前記スライド溝３２の中には移動ブロック３５が設置され、前記移動ブロック３５の上端面には上端が前記支持チャンバ６９の中に位置している支持ロッド４１が固定され、前記支持ロッド４１の上端には連結ロッド２９が固定され、二本の前記連結ロッド２９の左端の間が連結ブロック７８によって連結され、前記移動ブロック３５の上端面にはまた二つの上端が前記スライド溝３２の上端面と接触している伸縮バネ３６が固定され、前記持ち上げチャンバ３０の右端壁には左方に開口した電磁チャンバ３８が固定され、前記電磁チャンバ３８の上端壁には第一電磁石３９が固定され、前記電磁チャンバ３８の下側には左端が前記持ち上げチャンバ３０の中に位置しており、且つ前記持ち上げ板３３が上方へ運動するのを制御する第二電磁石３７が設置され、前記支持ロッド４１の右端面にはまた細引４０が固定されている。
【００２１】
有益なように、前記押し動かし機構８０はまた前記収納チャンバ７と前記水排出パイプ６とを連通する連通パイプ４を含み、前記連通パイプ４の中には電磁スイッチ５及びろ過板２７が設置されている。
【００２２】
有益なように、前記分離機構８２は前記連通パイプ４を貫通した平行移動チャンバ２４を含み、前記平行移動チャンバ２４の中には回字型ブロック２８が設置され、前記回字型ブロック２８の中心の空間は前記連通パイプ４の直径より少し大きく、前記従動板９の下端が前記移動チャンバ１０の下端壁を貫通しており、且つ前記平行移動チャンバ２４の中に位置しており、前記従動板９の下端と前記回字型ブロック２８との間が従動バネ２６によって連結され、前記回字型ブロック２８の中には上方に開口した位置制限溝５５が形成されており、前記平行移動チャンバ２４の上端壁の中には従動チャンバ５７が設置され、前記従動チャンバ５７の前後端壁の間には従動軸５９が回転できるように連結され、前記従動軸５９と前記従動チャンバ５７の端壁との間が第一トーションバネ５８によって連結され、前記従動軸５９には従動ギヤ６０が固定され、前記従動ギヤ６０の左右両端には台形ブロック５６が噛み合うように連結され、右側の前記台形ブロック５６の上端が前記収納チャンバ７の中に位置しており、また左側の前記台形ブロック５６の下端が前記位置制限溝５５の中に位置している。
【００２３】
有益なように、前記駆動機構８３は駆動チャンバ２１を含み、前記駆動チャンバ２１の上端壁にはモーター１４が固定され、前記モーター１４の下端には下端が前記駆動チャンバ２１の下端壁と回転できるように連結された駆動軸２２が動力が伝達できるように連結され、前記駆動軸２２の上端には糸巻き輪１５が固定され、前記駆動軸２２の下端には三つのリール４２がスライドできるように連結され、前記駆動チャンバ２１の右端壁には三つの前記リール４２を支える三つの固定板５４が固定され、前記ロープ１１の右端が上側の前記リール４２に固定され、前記チェーン１３の右端が中間の前記リール４２に固定され、前記細引４０の右端が下側の前記リール４２に固定され、上側の二つの前記リール４２の間には前記駆動軸２２と固定的に連結された駆動ギヤ７９が設置され、前記駆動ギヤ７９の左端には前記駆動ギヤ７９を貫通した貫通孔５１が設置され、前記貫通孔５１の左端壁の中には右方に開口した電磁溝４７が形成されており、前記貫通孔５１の中にはまた上下両端が前記駆動チャンバ２１の中に位置している第一伝動ロッド５０が設置され、前記電磁溝４７の上端壁には第三電磁石４８が固定され、前記電磁溝４７の中にはまた右端が前記第一伝動ロッド５０と固定的に連結された第四電磁石４６及び前記第四電磁石４６を支える電磁バネ４５が設置され、上側の前記リール４２の中には下方に開口した第一伝動孔４９が設置され、中間の前記リール４２の中には上方に開口した第二伝動孔５２が設置され、下側の前記リール４２の中には上方に開口した第三伝動孔４３が設置され、中間の前記リール４２の下端面には下端が前記第三伝動孔４３の中に位置している第二伝動ロッド４４が固定され、前記糸巻き輪１５には麻縄１６が巻き付いている。
【００２４】
有益なように、前記昇降機構８４は上方に開口した昇降チャンバ１８を含み、前記昇降チャンバ１８と前記平行移動チャンバ２４との間が下方に傾斜している輸送パイプ２３によって連結され、前記昇降チャンバ１８の下端壁には昇降ロッド２０が固定され、前記昇降チャンバ１８の右端壁の中には上方に開口しており、且つ前記昇降チャンバ１８に連通している展示チャンバ１９が設置され、前記昇降チャンバ１８の左端壁には位置制限ブロック１７が固定され、前記昇降チャンバ１８の中には前記昇降ロッド２０に貫通された昇降板６３が設置され、前記昇降板６３の下端面と前記昇降チャンバ１８の下端壁との間には二つの昇降バネ６２によって連結され、前記昇降板６３の中には上方に開口した回転溝６６が形成されており、前記回転溝６６の前後端壁の間には回転軸６５が回転できるように連結され、前記回転軸６５と前記回転溝６６の端壁との間が第二トーションバネ６４によって連結され、前記回転軸６５にはまた回転板６１が固定的に連結され、前記回転板６１の中には前記回転板６１を貫通している円形チャンバ６８が設置され、前記昇降ロッド２０が前記円形チャンバ６８を貫通しており、また前記円形チャンバ６８の端壁には環状密封リング６７が固定され、前記麻縄１６の右端が前記昇降チャンバ１８の左端壁を貫通しており、且つ前記回転板６１の左端と連結されている。
【００２５】
装置全体の機械動作の順序は：
【００２６】
１、 プール２の中の水は水排出パイプ６を通して段々循環し、フィルター３によってプール２の中に落ちたハンドチェーンやネックレスなどの物はフィルター３の上側に集められる。
【００２７】
２、 第一電磁石３９が作動して第二電磁石３７を上方に運動連動させ、それによって持ち上げ板３３が持ち上げバネ３４の作用の下で上昇し、それによって支持ロッド４１と連結ロッド２９とを上方へ運動連動させ、それによって連結ブロック７８が上方へ運動してプールの中に入らせ、この時に、圧縮バネ３１が復帰して支持ロッド４１を左方へ運動連動させ、それによって連結ロッド２９と連結ブロック７８とを左方へ運動連動させ、移動ブロック３５と伸縮バネ３６とがスライド溝３２の中でスライドし、細引４０は支持ロッド４１の移動によって段々に引き締められ、連結ブロック７８が一番左側の位置に運動した時に、第一電磁石３９が作動して第二電磁石３７と反発し合い、それによって第二電磁石３７を下方に運動連動させ、それによって持ち上げ板３３を下方へ運動連動させ、プール２の下端壁の制限によって、連結ロッド２９と連結ブロック７８の下端面とがプール２の下端壁と接触し、伸縮バネ３６が圧縮される。
【００２８】
３、 モーター１４が作動して駆動軸２２を時計回り方向に回転連動させ、駆動ギヤ７９を回転連動させ、この時に第三電磁石４８が作動して第四電磁石４６と反発し合い、それによって第一伝動ロッド５０を下方へ運動連動させ、それによって第一伝動ロッド５０の下端が第二伝動孔５２の中に入り、それによって駆動ギヤ７９が中間のリール４２を回転連動させ、それによってチェーン１３を引き締め、それによって移動板８と従動板９とを右方に運動連動させ、それによって移動バネ１２が圧縮され、従動バネ２６が引っ張られ、移動板８の運動によって閉鎖板７６の右方への運動を連動させ、それによって収納ゃンバ７が開けられ、スライドバネ７３の弾力はチェーン１３と従動板９との間の摩擦力より大きいため、スライド板７２が右方へ運動できなく、中間のリール４２が回転して第二伝動ロッド４４を回転連動させ、それによって下側のリール４２を回転連動させ、それによって細引４０を引き締め、それによって支持ロッド４１を右方に運動連動させ、それによって連結ロッド２９と連結ブロック７８とを右方へ運動連動させ、連結ロッド２９と連結ブロック７８とが支持チャンバ６９の上側に戻った後に、伸縮バネ３６の作用の下で連結ロッド２９と連結ブロック７８とが復帰し、連結ロッド２９と連結ブロック７８とが右方へ運動する過程に、プール２の底部のハンドチェーンやネックレスなどの物を収納チャンバ７の中に収集する。
【００２９】
４、 ハンドチェーンやネックレスなどの物が収納チャンバ７の中に落ちた後に、モーター１４が駆動軸２２を逆方向に回転させ、それによって駆動ギヤ７９を逆方向に回転連動させ、それによってチェーン１３を緩め、それによって移動板８が移動バネ１２の作用の下で復帰し、閉鎖板７６が収納チャンバ７を再び閉鎖し、従動板９が従動バネ２６の作用の下で復帰し、第二伝動ロッド４４が下側のリール４２を回転連動させ、それによって細引４０を緩める。
【００３０】
５、 第三電磁石４８と第四電磁石４６とが作動して互いに吸引し合い、それによって第一伝動ロッド５０の上端が第一伝動孔４９の中に入り、モーター１４が作動して駆動軸２２を時計回り方向に回転連動させ、それによって駆動ギヤ７９が上側のリール４２を回転連動させ、それによってロープ１１を引き締め、それによってスライドブロック７１とスライド板７２とを右方へ運動連動させ、それによってハンドチェーンやネックレスなどの物を連通パイプ４の中にプッシュし、電磁スイッチ５をオンにし、それによって水が水排出パイプ６の中に流れ込み、ハンドチェーンやネックレスなどの物がろ過板２７に残り、またスライド板７２が一番右側に運動した時に、チェーン１３が従動板９を一番右側に運動連動させ、従動バネ２６が引っ張られ、また上側の台形ブロック５６が押されて下方へ運動し、従動ギヤ６０の伝動によって下側の台形ブロック５６を上方へ運動連動させ、それによって下側の台形ブロック５６が位置制限溝５５から離れ、それによって回字型ブロック２８が従動バネ２６の作用の下で復帰し、それによって回字型ブロック２８がハンドチェーンやネックレスなどの物を輸送パイプ２３の中にプッシュし、ハンドチェーンやネックレスなどの物が最後に回転板６１に落ち、その後、モーター１４が駆動軸２２を反時計回り方向に回転させ、それによって上側のリール４２がロープ１１を緩め、それによってスライド板７２が復帰し、それによって回字型ブロック２８と従動板９とが復帰する。
【００３１】
６、 第三電磁石４８と第四電磁石４６とが作動しなく、それによって第一伝動ロッド５０が復帰し、モーター１４が作動して駆動軸２２を回転連動させ、それによって駆動ギヤ７９を回転連動させ、それと同時に糸巻き輪１５を回転連動させ、それによって麻縄１６を引き締め、それによって回転板６１を上方へ運動連動させ、それによって昇降板６３を上方へスライド連動させ、それによってハンドチェーンやネックレスなどの物が上方へ運動連動させ、しかし昇降板６３と位置制限ブロック１７とが接触した時に、麻縄１６が引き締められ続け、それによって回転板６１が回転し、それによってハンドチェーンやネックレスなどの物が展示チャンバ１９の中に落ち、この時にモーター１４が作動して駆動軸２２を逆方向に回転連動させ、それによって昇降機構８４を復帰させ、装置が復帰する。
【００３２】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】
【課題】本発明はプールの送水管の塞ぎ物を水から分離して貯蔵するをを提供した。
【解決手段】固定台及び上方に開口したプールを含み、前記プールの下端壁には外部空間に連通した水排出パイプが設置され、前記水排出パイプの中にはフィルターが固定され、前記水排出パイプの右側には前記フィルターの周りに落ちた物を収集する収集機構及び落ちた物を収納して押し動かせる押し動かし機構が設置され、本装置は作動してプールの底に沈んだ泳ぐ人の落とし物を自動的に収集でき、また落とし物を自動的に地面に送れ、落とし主が拾うことに便利であり、人がプールの底に行って拾う必要はなく、従業員の仕事量を下げ、また一般的に落とし物はプールの排水口の周りに集中する。
【選択図】図１【図１】
0006752992.tif 000002
【図２】
0006752992.tif 000003
【図３】
0006752992.tif 000004
【図４】
0006752992.tif 000005
【図５】
0006752992.tif 000006
【図６】
0006752992.tif 000007
【図７】
0006752992.tif 000008